(57)【要約】【課題】ユーザによって紙媒体に記入された情報に基づいて予定の管理を行うことが可能な情報管理装置、及び情報管理プログラムを提供する。【解決手段】読取装置とＰＣとの間で通信の接続設定が行われる（Ｓ１１）。ユーザは、スケジュールフォーマットの用紙に予定の情報を電子ペンで記入する。電子ペンの軌跡を示すストロークデータが、読取装置からＰＣに送信される。読取装置から送信されたストロークデータが取得されると（Ｓ１２：ＹＥＳ）、ストロークデータからテキストデータが作成される（Ｓ１６）。また、ストロークデータから画像データが作成される（Ｓ１７）。予定管理ソフトウェアが起動される（Ｓ１８）。作成されたテキストデータと画像データとが予定管理ソフトウェアに登録される（Ｓ２７）。【選択図】図６
2014086054.tif 000002
【特許請求の範囲】
【請求項１】
近接する筆記手段の軌跡を検出可能な検出手段によって検出された前記軌跡のデータであるストロークデータであって、紙媒体に記入された予定の情報に対応する前記筆記手段の前記軌跡のデータを含む前記ストロークデータを取得するストロークデータ取得手段と、
前記ストロークデータ取得手段によって取得された前記ストロークデータに基づく前記軌跡についての画像データを作成する画像データ作成手段と、
前記ストロークデータ取得手段によって取得された前記ストロークデータからテキストのデータであるテキストデータを作成するテキストデータ作成手段と、
前記テキストデータ作成手段によって作成された前記テキストデータから特定される前記予定の情報と、前記画像データ作成手段によって作成された前記画像データとを、予定を管理する予定管理手段に登録する予定登録手段と
を備えたことを特徴とする情報管理装置。
【請求項２】
前記予定の情報は日付の情報である日付情報を含み、
前記テキストデータ作成手段によって作成される前記テキストデータから特定される前記日付情報が示す前記日付が、所定の時期より先である場合に、ユーザに報知する報知手段を備えたことを特徴とする請求項１に記載の情報管理装置。
【請求項３】
前記予定の情報は日付の情報である日付情報を含み、
前記テキストデータ作成手段によって作成される前記テキストデータから特定される前記日付情報が示す前記日付が、所定の時期より先である場合に、自動で前記日付を補正する補正手段を備えたことを特徴とする請求項１に記載の情報管理装置。
【請求項４】
前記ストロークデータ取得手段によって取得される前記ストロークデータには、前記紙媒体に記入された個人を特定する情報である個人特定情報に対応する前記筆記手段の前記軌跡のデータが含まれ、
前記予定設定手段は、前記テキストデータ作成手段によって作成された前記テキストデータから特定される前記予定の情報を前記予定管理手段に登録する場合に、前記個人特定情報に対応する前記個人の前記予定として登録することを特徴とする請求項１から３のいずれかに記載の情報管理装置。
【請求項５】
近接する筆記手段の軌跡を検出可能な検出手段によって検出された前記軌跡のデータであるストロークデータであって、紙媒体に記入された予定の情報に対応する前記筆記手段の前記軌跡のデータを含む前記ストロークデータを取得するストロークデータ取得ステップと、
前記ストロークデータ取得ステップによって取得された前記ストロークデータに基づく前記軌跡についての画像データを作成する画像データ作成ステップと、
前記ストロークデータ取得ステップによって取得された前記ストロークデータからテキストのデータであるテキストデータを作成するテキストデータ作成ステップと、
前記テキストデータ作成ステップによって作成された前記テキストデータから特定される前記予定の情報と、前記画像データ作成ステップによって作成された前記画像データとを、予定を管理する予定管理手段に登録する予定登録ステップと
を備えたことを特徴とする情報管理プログラム。
【発明の詳細な説明】
【技術分野】
【０００１】
本発明は、紙媒体に記入された情報を取得可能な情報管理装置、及び情報管理プログラムに関する。
【背景技術】
【０００２】
従来、紙媒体に記入された情報を、電子化して保管及び管理する技術が知られている。例えば、特許文献１に記載の帳票画像作成装置は、帳票に記入された文字のストロークデータを電子ペンから受信する。ストロークデータは、利用者が電子ペンを使用して記入した文字の軌跡に関する位置情報である。帳票画像作成装置は、文字のストロークデータを表示すべきか否かを判断する。帳票画像作成装置は、表示すべきと判断されたストロークデータと帳票の印刷画像とを合成して表示画像を作成し、画像を表示する。
【先行技術文献】
【特許文献】
【０００３】
【特許文献１】特開２００９−９８８３６号公報
【発明の概要】
【発明が解決しようとする課題】
【０００４】
ところで、ユーザには、取得されたストロークデータを様々な用途に使用したいという要望があり、特に予定の管理に使用したいという要望がある。しかしながら、特許文献１に記載の帳票画像作成装置は、ストロークデータと帳票の印刷画像とを合成して画像を表示できるのみであり、ストロークデータを予定の管理に使用できなかった。
【０００５】
本発明の目的は、ユーザによって紙媒体に記入された情報に基づいて予定の管理を行うことが可能な情報管理装置、及び情報管理プログラムを提供することである。
【課題を解決するための手段】
【０００６】
本発明の第１の態様に係る情報管理装置は、近接する筆記手段の軌跡を検出可能な検出手段によって検出された前記軌跡のデータであるストロークデータであって、紙媒体に記入された予定の情報に対応する前記筆記手段の前記軌跡のデータを含む前記ストロークデータを取得するストロークデータ取得手段と、前記ストロークデータ取得手段によって取得された前記ストロークデータに基づく前記軌跡についての画像データを作成する画像データ作成手段と、前記ストロークデータ取得手段によって取得された前記ストロークデータからテキストのデータであるテキストデータを作成するテキストデータ作成手段と、前記テキストデータ作成手段によって作成された前記テキストデータから特定される前記予定の情報と、前記画像データ作成手段によって作成された前記画像データとを、予定を管理する予定管理手段に登録する予定登録手段とを備えている。この場合、予定の情報と画像データとを予定管理手段に登録可能である。このため、紙媒体に記入された予定の情報に基づいて予定の管理を行うことができる。
【０００７】
前記情報管理装置において、前記予定の情報は日付の情報である日付情報を含み、前記テキストデータ作成手段によって作成される前記テキストデータから特定される前記日付情報が示す前記日付が、所定の時期より先である場合に、ユーザに報知する報知手段を備えてもよい。日付が所定の時期より先である場合、ユーザが日付の記入を間違えた可能性がある。この場合に報知手段によって報知されるので、予定の情報が異なる日付で予定管理手段に登録されることを防止できる。
【０００８】
前記情報管理装置において、前記予定の情報は日付の情報である日付情報を含み、前記テキストデータ作成手段によって作成される前記テキストデータから特定される前記日付情報が示す前記日付が、所定の時期より先である場合に、自動で前記日付を補正する補正手段を備えてもよい。前述したように、日付が所定の時期より先である場合、ユーザが日付の記入を間違えた可能性がある。この場合に補正手段によって自動で日付が補正されるので、ユーザが日付を正しい日付に補正する場合に比べて、ユーザの利便性が向上する。
【０００９】
前記情報管理装置において、前記ストロークデータ取得手段によって取得される前記ストロークデータには、前記紙媒体に記入された個人を特定する情報である個人特定情報に対応する前記筆記手段の前記軌跡のデータが含まれ、前記予定設定手段は、前記テキストデータ作成手段によって作成された前記テキストデータから特定される前記予定の情報を前記予定管理手段に登録する場合に、前記個人特定情報に対応する前記個人の前記予定として登録してもよい。この場合、ユーザが個人特定情報を紙媒体に記入すると、予定設定手段によって個人特定情報に対応する個人の予定として登録することができる。ユーザは紙媒体に記入する個人特定情報で予定を登録する個人を選択できるので、ユーザの利便性が向上する。
【００１０】
本発明の第二の態様に係る情報管理プログラムは、近接する筆記手段の軌跡を検出可能な検出手段によって検出された前記軌跡のデータであるストロークデータであって、紙媒体に記入された予定の情報に対応する前記筆記手段の前記軌跡のデータを含む前記ストロークデータを取得するストロークデータ取得ステップと、前記ストロークデータ取得ステップによって取得された前記ストロークデータに基づく前記軌跡についての画像データを作成する画像データ作成ステップと、前記ストロークデータ取得ステップによって取得された前記ストロークデータからテキストのデータであるテキストデータを作成するテキストデータ作成ステップと、前記テキストデータ作成ステップによって作成された前記テキストデータから特定される前記予定の情報と、前記画像データ作成ステップによって作成された前記画像データとを、予定を管理する予定管理手段に登録する予定登録ステップとを備えている。この場合、予定の情報と画像データとを予定管理手段に登録可能である。このため、紙媒体に記入された予定の情報に基づいて予定の管理を行うことができる。
【図面の簡単な説明】
【００１１】
【図１】手書入力システム１の概要を示す図である。
【図２】読取装置２及びＰＣ４の電気的構成を示すブロック図である。
【図３】用紙７０１を示す図である。
【図４】予定の情報が記入された用紙７０１を示す図である。
【図５】スケジュールデータテーブル９５のデータ構成図である。
【図６】第一メイン処理のフローチャートである。
【図７】ディスプレイ４８に表示されるテキスト表示画面９６を示す図である。
【図８】ディスプレイ４８に表示される画像９７を示す図である。
【図９】ディスプレイ４８に表示される予定表示画面９８を示す図である。
【図１０】用紙７０２を示す図である。
【図１１】第二メイン処理のフローチャートである。
【図１２】携帯電話５のディスプレイ４８１に表示される画面９９を示す図である。
【図１３】ディスプレイ４８に表示されるデスクトップ画面４８２に、予定の情報に対応するテキストが表示された状態を示す図である。
【発明を実施するための形態】
【００１２】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１３】
図１を参照して、第一実施形態に係る手書入力システム１の概要を説明する。以下の説明では、図１の左上側、右下側、上側、下側、右上側、左下側を、それぞれ、読取装置２の左側、右側、上側、下側、後側、前側と定義して説明する。
【００１４】
手書入力システム１は、読取装置２、電子ペン３、ＰＣ４などを含む。手書入力システム１では、ユーザが電子ペン３を用いて、読取装置２に固定された紙媒体１００にテキスト（文字、数字、記号、及び図形等）によって情報を記入する。読取装置２は、紙媒体１００に情報を記入する電子ペン３の軌跡を検出して、後述のストロークデータを取得する。ＰＣ４は、読取装置２で取得されたストロークデータに基づいて、紙媒体１００に記入された情報を電子化した画像データ等を作成することができる。
【００１５】
読取装置２は、左右一対のセンサ基板７Ｌ，７Ｒを主体とする。センサ基板７Ｌ，７Ｒは、同一の矩形薄板状であり、左右方向に見開き可能に配置されている。各センサ基板７Ｌ，７Ｒには、Ｘ軸方向及びＹ軸方向の各々に細長いループコイルが多数配列されている。読取装置２は、センサ基板７Ｌ，７Ｒを折り畳んで携行可能な、薄型軽量の手書き入力装置である。
【００１６】
電子ペン３は、公知の電磁誘導式の電子ペンであり、芯体３１、コイル３２、可変容量コンデンサ３３、基板３４、コンデンサ３５、及びインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。ユーザが電子ペン３を用いて筆記すると、筆記されたテキストがインクで形成される。
【００１７】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００１８】
紙媒体１００は、左右方向に見開き可能な冊子状である。紙媒体１００では、一対の表紙（表表紙１１０Ｌ及び裏表紙１１０Ｒ）と複数の用紙１２０が、各々の縁部の一部で綴じられている。一例として、紙媒体１００はＡ５サイズのノートである。紙媒体１００は、表表紙１１０Ｌがセンサ基板７Ｌの上面に載置され、且つ、裏表紙１１０Ｒがセンサ基板７Ｒの上面に載置されるように、読取装置２上に装着される。紙媒体１００が読取装置２に装着された状態で、ユーザは電子ペン３を用いて用紙１２０に情報を記入できる。情報を記入された用紙１２０に対向するセンサ基板７Ｌ，７Ｒのいずれかによって、紙媒体１００に情報を記入する電子ペン３の位置情報が検出される。
【００１９】
図２を参照して、手書入力システム１の電気的構成を説明する。まず、読取装置２の電気的構成を説明する。読取装置２は、センサ基板７Ｌ，７Ｒ、メイン基板２０、及びセンサ制御基板２８，２９を備える。
【００２０】
メイン基板２０は、ＣＰＵ２１、フラッシュＲＯＭ２２、及び無線通信部２３を備えている。フラッシュＲＯＭ２２及び無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。さらに、フラッシュＲＯＭ２２には、センサ基板７Ｌ，７Ｒ上で電子ペン３によって紙媒体１００に情報を記入する電子ペン３の軌跡を示すデータ（以下、ストロークデータという。）が記憶される。ストロークデータは、センサ基板７Ｌ，７Ｒによって経時的に検出された電子ペン３の複数の位置情報によって、紙媒体１００に情報を記入する電子ペン３の軌跡を特定する。ストロークデータには、軌跡上の複数の位置の夫々を示す座標情報が含まれる。無線通信部２３は、外部の電子機器と近距離無線通信を実行するためのコントローラである。
【００２１】
センサ基板７Ｌは、センサ制御基板２８のＡＳＩＣ２８Ａに電気的に接続されている。ＡＳＩＣ２８Ａは、電子ペン３による記入動作がセンサ基板７Ｌ上で行われた場合に、記入動作に基づいてストロークデータを作成する処理を実行するが、詳細は後述する。センサ基板７Ｒは、センサ制御基板２９のＡＳＩＣ２９Ａに電気的に接続されている。ＡＳＩＣ２９Ａは、電子ペン３による記入動作がセンサ基板７Ｒ上で行われた場合に記入動作に基づいてストロークデータを作成する処理を実行するが、詳細は後述する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２２】
センサ基板７Ｌ，７Ｒ上で電子ペン３による記入動作が行われた場合にストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて読取装置２に固定された紙媒体１００に情報を記入する動作を行うと、電子ペン３はセンサ基板７Ｌ，７Ｒに近接する。そのため、電子ペン３の共振回路は電磁誘導によって共振し、誘導磁界を生じる。
【００２３】
次に、ＣＰＵ２１はＡＳＩＣ２８Ａ，２９Ａを制御して、センサ基板７Ｌ，７Ｒの各々のループコイルからの磁界の発生を停止させる。さらに、電子ペン３の共振回路から発せられる誘導磁界を、センサ基板７Ｌ，７Ｒの各々のループコイルで受信する。ＣＰＵ２１は、ＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつに実行することで、受信電流に基づいて電子ペン３の位置が座標情報として検出される。
【００２４】
さらに、電子ペン３が紙媒体１００に情報を記入している状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、紙媒体１００に情報が記入されているか否かを判断できる。ＣＰＵ２１は、紙媒体１００に情報が記入されていると判断した場合、電子ペン３の位置を示す座標情報を含むストロークデータを取得し、フラッシュＲＯＭ２２に保存する。
【００２５】
なお、読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００に情報を記入する動作が行われた場合、タッチパネルを介して筆圧が加えられた位置を検出してもよい。
【００２６】
次に、ＰＣ４の電気的構成を説明する。ＰＣ４は、ＰＣ４の制御を行うＣＰＵ４１を備えている。ＣＰＵ４１は、ハードディスクドライブ（ＨＤＤ）４２、ＲＡＭ４３、無線通信部４４、入力回路４５、及び出力回路４６と電気的に接続している。ＨＤＤ４２には、ＣＰＵ４１が実行する各種プログラム及び後述するスケジュールデータテーブル９５（図５参照）が記憶される。後述の第一メイン処理（図６参照）を実行するための情報管理プログラムも、ＨＤＤ４２に記憶されている。
【００２７】
ＰＣ４は、図示外の媒体読取装置（例えば、ＣＤ−ＲＯＭドライブ）を備える。ＰＣ４は、記憶媒体（例えば、ＣＤ−ＲＯＭ）に記憶されている情報管理プログラムを、媒体読取装置で読み取ってＨＤＤ４２にインストールできる。また、ＰＣ４に接続されている外部機器（図示外）又はネットワークから情報管理プログラムを受信して、ＨＤＤ４２にインストールしてもよい。
【００２８】
ＲＡＭ４３は、種々の一時データを記憶する。無線通信部４４は、外部の電子機器と近距離無線通信を実行するためのコントローラである。入力回路４５は、ＣＰＵ４１へ入力部４７（例えば、マウス、キーボード、タッチパネルなど）からの指示を送る制御を行う。出力回路４６は、ＣＰＵ４１からの指示に応じてディスプレイ４８に画像を表示する制御を行う。
【００２９】
本実施形態では、読取装置２の無線通信部２３とＰＣ４の無線通信部４４との間で、近距離無線通信を実行可能である。読取装置２は、フラッシュＲＯＭ２２に保存されているストロークデータを、ＰＣ４に近距離無線通信によって送信する。さらにＰＣ４では、読取装置２から送信されたストロークデータに基づいて、紙媒体１００に記入された情報を電子化した画像データ等が作成される。画像データの形式としては、ＪＰＥＧ形式、ＧＩＦ形式、ＰＮＧ形式、ＢＭＰ形式等が挙げられる。なお、読取装置２からＰＣ４に対してストロークデータが送信される場合の通信は、無線通信に限定されず有線通信であってもよい
【００３０】
図３及び図４を参照して紙媒体１００の用紙１２０の一例である用紙７０１について説明する。以下の説明では、図３及び図４の下側、上側、左側、及び右側をそれぞれ、用紙７０１の前側、後側、左側、及び右側と定義して説明する。用紙７０１は、紙媒体１００のうちのスケジュール記入用のページの用紙である。図３では、紙媒体１００の他のページの図示は省略している。
【００３１】
ユーザは、種々の種類のフォーマットの用紙１２０を使用可能である。フォーマットの種類は、例えば、スケジュールフォーマット、メモフォーマット、Ｔｏｄｏフォーマット等である。図３に示す用紙７０１のフォーマットはスケジュールフォーマットである。ユーザは用紙７０１に予定の情報を記入することで、後述する予定管理ソフトウェアに予定の情報を登録することができる。
【００３２】
図３及び図４に示すように、用紙７０１の左上部には、正方形のチェックボックス７１１が設けられている。チェックボックス７１１の下方には、正方形のチェックボックス７１２が設けられている。チェックボックス７１１の右方、且つ用紙７０１の上部には、左右方向に長い記入領域７１３が設けられている。記入領域７１３の下側には、左右方向に長い記入領域７１４が設けられている。記入領域７１４の下側には、上下方向に長い記入領域７２１〜７３２が右方向に並んで設けられている。記入領域７２９〜７３２の下側には、上下方向に長い記入領域７３３〜７３６が設けられている。記入領域７３３〜７３６には、左右方向に長い記入領域７４０が設けられている。
【００３３】
チェックボックス７１１，７１２及び記入領域７１３，７１４，７２１〜７３６，７４０は、予め設定された所定の位置に設けられている。後述するスケジュールデータテーブル９５（図５参照）には、記入領域７１３，７１４，７２１〜７３６，７４０の位置に対応したセンサ基板７Ｌ，７Ｒ上の座標についての座標情報が登録されている。
【００３４】
チェックボックス７１１の上側には、文字列「Ｓｃｈｅｄｕｌｅ」が印刷されている。チェックボックス７１２の上側には文字列「Ｓａｖｅ」が印刷されている。記入領域７１３の上側には文字列「Ｓｕｂｊｅｃｔ」が印刷されている。記入領域７２１〜７２８の上側には、文字列「Ｄａｔｅ  ＆  Ｔｉｍｅ」と文字列「Ｄａｔｅ」とが印刷されている。記入領域７２９〜７３２の上側には、文字列「Ｔｉｍｅ（Ｆｒｏｍ）」が印刷されている。記入領域７３３〜７３６の上側には、文字列「Ｔｉｍｅ（Ｔｏ）」が印刷されている。記入領域７４０の上側には、文字列「Ｄｅｔａｉｌｓ」が印刷されている。
【００３５】
本実施形態では、記入領域７１３，７１４，７２１〜７３６，７４０に予定の情報が記入される。記入領域７１３には、予定の題目が記入される。図４に示す例では、記入領域７１３に「Ｍｅｅｔｉｎｇ」と記入されている。記入領域７１４には、記入領域７１３に記入された予定が行われる場所が記入される。図４に示す例では、記入領域７１４に「Ｍｅｅｔｉｎｇ  ｒｏｏｍ」と記入されている。記入領域７４０には、記入領域７１４に記入された予定の詳細等、種々の情報が記入される。図４に示す例では、記入領域７１４に「Ｔｅａｍ  Ｍｅｅｔｉｎｇ」と記入されている。
【００３６】
記入領域７２１〜７２８には、記入領域７１３に記入された予定が行われる日付（本実施形態では年月日）が記入される。より詳細には、記入領域７２１，７２２，７２３，７２４には、それぞれ、「年」の千の位、百の位、十の位、一の位が記入される。記入領域７２５，７２６には、それぞれ、「月」の十の位、一の位が記入される。記入領域７２７，７２８には、それぞれ、「日」の十の位、一の位が記入される。図４に示す例では、記入領域７２１〜７２８に、日付の情報（以下、日付情報という。）である「２０１２／１２／１５」に対応する各数字が記入されている。なお、記入領域７２４と記入領域７２６との間には、「年」と「月」との区切りを表す「／（スラッシュ）」が印刷されている。記入領域７２６と記入領域７２７との間には、「月」と「日」との区切りを表す「／（スラッシュ）」が印刷されている。
【００３７】
記入領域７２９〜７３２には、記入領域７１３に記入された予定の開始時間が記入される。より詳細には、記入領域７２９，７３０には、それぞれ、「時」の十の位、一の位が記入される。記入領域７３１，７３２には、それぞれ、「分」の十の位、一の位が記入される。図４に示す例では、記入領域７２９〜７３２に、開始時間の情報である「１５：００」に対応する各数字が記入されている。記入領域７３３〜７３６には、記入領域７１３に記入された予定の終了時間が記入される。より詳細には、記入領域７３３，７３４には、それぞれ、「時」の十の位、一の位が記入される。記入領域７３５，７３６には、それぞれ、「分」の十の位、一の位が記入される。図４に示す例では、記入領域７３３〜７３６に、終了時間の情報である「１６：００」に対応する各数字が記入されている。なお、記入領域７３０と記入領域７３１との間には、「時」と「分」との区切りを表す「：（コロン）」が印刷されている。記入領域７３４と記入領域７３５との間には、「時」と「分」との区切りを表す「：（コロン）」が印刷されている。
【００３８】
チェックボックス７１１，７１２には、チェックマークが記入される（図４参照）。チェックマークに形状は、特に限定されない。ＰＣ４のＨＤＤ４２には、チェックボックス７１１に対応するセンサ基板７Ｌ，７Ｒ上の座標についての座標情報と、スケジュールフォーマットであることを示す情報とが対応付けられて記憶されている。以下、この対応付けられたデータを「対応データ」という。ユーザがチェックボックス７１１に電子ペン３でチェックマークを記入すると、ＰＣ４のＣＰＵ４１はチェックボックス７１１に対応するセンサ基板７Ｌ，７Ｒ上の座標に、ストロークデータが存在することを検出する。そして、ＰＣ４のＣＰＵ４１は対応データを参照することで、用紙７０１のフォーマットがスケジュールフォーマットであることを特定する（図６のＳ１３、後述）。
【００３９】
読取装置２のフラッシュＲＯＭ２２には、チェックボックス７１１に対応するセンサ７Ｌ，７Ｒ上の座標についての座標情報と、Ｓａｖｅ（保存）の命令が入力されたことを示す情報とが対応付けられて記憶されている。ユーザがチェックボックス７１２に電子ペン３でチェックマークを記入すると、読取装置２のＣＰＵ２１は、チェックボックス７１２に対応するセンサ基板７Ｌ，７Ｒ上の座標に、ストロークデータが存在することを検出する。この場合、読取装置２のＣＰＵ２１は、ユーザによって用紙７０１に予定の情報が記入されることによって取得されたストロークデータをＰＣ４のＣＰＵ４１に送信する。送信されたストロークデータは、ＰＣ４のＣＰＵ４１によって取得（受信）される（図６のＳ１２参照、後述）。
【００４０】
図５を参照して、スケジュールデータテーブル９５について説明する。スケジュールデータテーブル９５は、ＰＣ４のＨＤＤ４２に記憶されている。スケジュールデータテーブル９５には、スケジュールフォーマットの用紙７０１の記入領域７１３，７１４，７２１〜７３６，７４０についての座標情報が登録されている。座標情報は、記入領域７１３，７１４，７２１〜７３６，７４０が配置された用紙７０１上の位置に対応するセンサ基板７Ｌ，７Ｒ上の座標に設定されている。図５では、説明のため、座標情報のそれぞれに対応する記入領域の符号７１３，７１４，７２１〜７３６，７４０を図示している。なお、図５に示す各記入領域７１３，７１４，７２１〜７３６，７４０についての座標情報には１つの座標（例えば、座標（Ｘ１１，Ｙ１１））のみが記載されている。しかし実際には、各記入領域７１３，７１４，７２１〜７３６，７４０の四角形の範囲に対応する座標が登録されている。
【００４１】
図６を参照して第一メイン処理について説明する。第一メイン処理は、ストロークデータからテキストデータと画像データとを作成し、予定管理ソフトウェアに登録する処理である。ユーザは、入力部４７を操作し、第一メイン処理を実行するためのアプリケーションを起動する指示を入力する。ＰＣ４のＣＰＵ４１は、該アプリケーションを実行するためのプログラムをＨＤＤ４２から読み出し、ＲＡＭ４３に展開する。該アプリケーションを実行するためのプログラムには、第一メイン処理をＣＰＵ４１が実行するための情報管理プログラムが含まれる。ＣＰＵ４１は、情報管理プログラムのコマンドに従って第一メイン処理を実行する。
【００４２】
図６に示すように、まず、読取装置２のＣＰＵ２１との間で無線通信部２３，４４を介した接続の設定が行われ、読取装置２のＣＰＵ２１とＰＣ４のＣＰＵ４１との間で通信が可能な状態に設定される（Ｓ１１）。次いで、読取装置２のＣＰＵ２１によって送信されるストロークデータが取得されたか否かが判断される（Ｓ１２）。ストロークデータが取得されていない場合（Ｓ１２：ＮＯ）、Ｓ１２が繰り返される。
【００４３】
以下の説明では、図４に示すようにユーザが用紙７０１に予定の情報を記入する場合を例示しながら説明する。ユーザは、紙媒体１００のページを開き、センサ基板７Ｌ又はセンサ基板７Ｒ上に用紙７０１が配置された状態にする。ユーザは電子ペン３を使用して図４に示す予定の情報等を用紙７０１に記入する。ユーザは、電子ペン３を使用して、チェックボックス７１１にチェックマークを記入する（図４参照）。また、ユーザは、電子ペン３を使用して記入領域７１３，７１４，７２１〜７３６，７４０に予定の情報を記入する（図４参照）。
【００４４】
チェックボックス７１１へのチェックマーク之記入と記入領域７１３，７１４，７２１〜７３６，７４０への予定の情報の記入とが行われている間、読取装置２のＣＰＵ２１は、ストロークデータを取得する。ＣＰＵ２１は、取得したストロークデータをフラッシュＲＯＭ２２に記憶する。そして、ユーザがチェックボックス７１２にチェックマークを記入すると、読取装置２のＣＰＵ２１によって、チェックボックス７１２に対応するセンサ基板７Ｌ，７Ｒ上の座標に、ストロークデータが存在することが検出される。この場合、読取装置２のＣＰＵ２１は、フラッシュメモリ２２に記憶されたストロークデータをＰＣ４のＣＰＵ４１に送信する。送信されるストロークデータには、用紙７０１に記入された予定の情報に対応する電子ペン３の軌跡のデータが含まれる。ＰＣ４のＣＰＵ４１は、読取装置２から送信されたストロークデータを取得する（Ｓ１２：ＹＥＳ）。なお、取得されたストロークデータは、ＨＤＤ４２又はＲＡＭ４３に記憶される。
【００４５】
次いで、用紙７０１のフォーマットが特定される（Ｓ１３）。例えば、ＰＣ４はＳ２０で取得されたストロークデータから、チェックボックス７１１に対応するセンサ基板７Ｌ，７Ｒの座標にストロークデータが存在することを検出する。そして、前述の対応データ（図示外）を参照することで、用紙７０１のフォーマットがスケジュールフォーマットであることを特定する。
【００４６】
次いで、Ｓ１３によって特定されたフォーマットに対応するデータテーブルがＨＤＤ４２から読み出される（Ｓ１４）。本実施形態では、Ｓ１３でスケジュールフォーマットが特定されている。このため、図５に示すスケジュールデータテーブル９５がＨＤＤ４２から読み出される。なお、図示しないが、スケジュールフォーマット以外のフォーマットがＳ１３で特定された場合、ＣＰＵ４１は、Ｓ１３で特定されたスケジュールフォーマット以外のフォーマットに対応するデータテーブルをＨＤＤ４２から読み出す。そして、ＣＰＵ４１は、特定されたスケジュールフォーマット以外のフォーマットを用いた処理を実行する。以下で説明するＳ１５〜Ｓ２７の処理は、スケジュールフォーマットを用いた場合の処理である。
【００４７】
次いで、テキスト変換ソフトウェアが起動される（Ｓ１５）。テキスト変換ソフトウェアは、ストロークデータから、テキストのデータであるテキストデータを生成することが可能なソフトウェアである。なお、ユーザによる入力部４７の操作に応じて、テキスト変換ソフトウェアが起動されてもよい。また、テキスト変換ソフトウェアは、第一メイン処理を含むアプリケーションとは別のソフトウェアであってもよいし、アプリケーションに含まれるソフトウェアであってもよい。本実施形態では、テキスト変換ソフトウェアは、アプリケーションとは別のソフトウェアであるとする。テキスト変換ソフトウェアは、ＨＤＤ４２に記憶されているテキスト変換ソフトウェアのプログラムに従ってＣＰＵ４１が処理を行うことで動作する。テキスト変換ソフトウェアは、例えば、ＯＣＲ（Ｏｐｔｉｃａｌ  Ｃｈａｒａｃｔｅｒ  Ｒｅｃｏｇｎｉｔｉｏｎ）のソフトウェアである。
【００４８】
Ｓ１２で取得されたストロークデータからテキストデータが作成される（Ｓ１６）。Ｓ１６では、まず、Ｓ１４で読み出されたスケジュールデータテーブル９５の座標情報とストロークデータに含まれる座標情報とが参照され、各記入領域７１３，７１４，７２１〜７３６，７４０内にあるストロークデータが特定される。特定されたストロークデータが、Ｓ１５で起動されたテキスト変換ソフトウェアに受け渡されてテキストデータが生成される。そして、生成されたテキストデータがテキスト変換ソフトウェアから本実施形態のアプリケーションに受け渡される。これによって、各記入領域７１３，７１４，７２１〜７３６，７４０に対応するストロークデータに基づくテキストデータが作成された状態となる（Ｓ１６）。なお、例えば、ＯＲＣのソフトウェアがテキストデータを生成する場合、ストロークデータによって示される軌跡を示す画像データを一旦作成し、作成した画像データに対してＯＣＲ処理を実行することで、テキストデータを生成する。なお、ストロークデータによって示される軌跡からテキストデータを生成する方法には、種々の方法がある。例えばＣＰＵ４１は、周知のパターンマッチング技術を用いることによって、ストロークデータからテキストデータを生成してもよい。
【００４９】
Ｓ１６で取得されたテキストデータに基づくテキストをディスプレイ４８に表示した場合のテキスト表示画面９６を図７に示す。テキスト表示画面９６の１行目には、「Ｍｅｅｔｉｎｇ」が表示され、２行目には「Ｍｅｅｔｉｎｇ  ｒｏｏｍ」が表示されている。３行目には「２０１２１２１５」が表示され、４行目には「１３００」が表示されている。５行目には「１４００」が表示され、６行目には「Ｔｅａｍ  Ｍｅｅｔｉｎｇ」が表示されている。これらの表示は、記入領域７１３，７１４，７２１〜７３６，７４０に記入された予定の情報（図４参照）に対応している。
【００５０】
次いで、Ｓ１２で取得されたストロークデータに基づく軌跡についての画像データが作成される（Ｓ１７）。Ｓ１７で作成された画像データに基づく画像をディスプレイ４８に表示した場合の画像９７を図８に示す。図８に示すように、画像９７は、ユーザによって用紙７０１に記入された予定の情報（図４参照）に対応している。
【００５１】
次いで、予定管理ソフトウェアが起動される（Ｓ１８）。予定管理ソフトウェアは、予定を管理することが可能なソフトウェアである。なお、ユーザによる入力部４７の操作に応じて、予定管理ソフトウェアが起動されてもよい。また、予定管理ソフトウェアは、第一メイン処理を含むアプリケーションとは別のソフトウェアであってもよいし、アプリケーションに含まれるソフトウェアであってもよい。本実施形態では、予定管理ソフトウェアは、アプリケーションとは別のソフトウェアであるとする。予定管理ソフトウェアは、ＨＤＤ４２に記憶されている予定管理ソフトウェアのプログラムに従ってＣＰＵ４１が処理を実行することによって動作する。
【００５２】
次いで、Ｓ１６で取得されたテキストデータから特定される日付情報が示す日付が、今年の日付であるか否かが判断される（Ｓ１９）。例えば、図７に示すようにテキストデータから特定される日付情報が「２０１２１２１５」、すなわち「２０１２／１２／１５」であるとする。そして、第一メイン処理が実行されているときの日付が「２０１２／１１／３０」であるとする。この場合、共に「２０１２」年であるので、今年の日付であると判断され（Ｓ１９：ＹＥＳ）、Ｓ１６で作成されたテキストデータから特定される予定の情報と、Ｓ１７で作成された画像データとが、予定を管理する予定管理ソフトウェアに登録される（Ｓ２７）。本実施形態では、一例として、予定管理ソフトウェアは、予定管理ソフトウェアが参照可能な所定のフォルダ（ＨＤＤ４２に記憶されているフォルダ）にテキストデータのデータファイルと画像データのデータファイルとが配置（ＨＤＤ４２に記憶）された場合に、テキストデータから特定される予定の情報と画像データとを登録するとする。この場合、Ｓ２７の処理では、Ｓ１６で作成されたテキストデータのデータファイルとＳ１７で作成された画像データのデータファイルとが、所定のフォルダに配置にされる。
【００５３】
予定の情報と画像データとが登録された場合の予定管理ソフトウェアの予定表示画面９８を図９に示す。図９に示すように、予定表示画面９８では、Ｓ２７で所定のフォルダに配置されたテキストデータのデータファイルに基づいて、「２０１２／１２／１５」の開始時間「１５：００」から終了時間「１６：００」に、記入領域７１３（図４参照）に記入された「Ｍｅｅｔｉｎｇ」が表示されている。例えば、ユーザが入力部４７を介して「Ｍｅｅｔｉｎｇ」の文字列を選択すると、場所「Ｍｅｅｔｉｎｇ  ｒｏｏｍ」、詳細「Ｔｅａｍ  Ｍｅｅｔｉｎｇ」、及び画像データに基づく画像９７（図８参照）と同様の画像がディスプレイ４８に表示される。
【００５４】
図６に示すように、Ｓ１９の処理において、今年の日付ではないと判断された場合（Ｓ１９：ＮＯ）、日付が、第一メイン処理が実行されている日付から３カ月以内の日付であるか否かが判断される（Ｓ２０）。３ヶ月以内の日付である場合（Ｓ２０：ＹＥＳ）、前述のＳ２７の処理が実行される。
【００５５】
３カ月以内の日付ではない場合（Ｓ２０：ＮＯ）、Ｓ１６で取得されたテキストデータに含まれる日付情報が示す日付が、自動補正される（Ｓ２１）。例えば、図７に示す場合と異なり、テキストデータに含まれる日付情報が示す日付が「２０１３／１２／１５」であるとする。そして、第一メイン処理が実行される時点の日付が「２０１２／１１／３０」であるとする。この場合、日付情報が示す日付が今年の日付でなく（Ｓ１９：ＮＯ）、３ヶ月以内の日付ではない（Ｓ２０：ＮＯ）。このため、予定の情報の日付情報が示す日付の「年」が自動的に補正され、「２０１３／１２／１５」が「２０１２／１２／１５」となる。すなわち、テキストデータ中の日付情報が示す日付「２０１３１２１５」が、図７に示す場合と同様に、「２０１２１２１５」に補正される。
【００５６】
次いで、確認メッセージがディスプレイ４８に表示される（Ｓ２２）。Ｓ２２で表示される確認メッセージは、例えば、「予定の日付を２０１２年１２月１５日に変更しました。日付は正しいですか？」というメッセージである。また、Ｓ２２では、日付が正しいか否かをユーザが選択するための表示がディスプレイ４８に表示される。
【００５７】
次いで、日付が正しいか否かを選択するためのユーザによる入力部４７の操作がされたか否かが判断される（Ｓ２３）。操作がされていない場合（Ｓ２３：ＮＯ）、Ｓ２３が繰り返される（Ｓ２３）。操作がされた場合（Ｓ２３：ＹＥＳ）、Ｓ２３で検出された操作が、日付が正しいことを示す操作であるか否かが判断される（Ｓ２４）。日付が正しいことを示す操作である場合（Ｓ２４：ＹＥＳ）、Ｓ２７の処理が実行される。この場合、Ｓ２１で自動補正された日付で予定の情報が予定管理ソフトウェアに登録される（Ｓ２７）。
【００５８】
Ｓ２３で検出された操作が、日付が正しくないことを示す操作である場合（Ｓ２４：ＮＯ）、正しい日付の入力画面（図示外）がディスプレイ４８に表示される（Ｓ２５）。Ｓ２５では、例えば、図７に示す場合と同様に、Ｓ１６で作成され、Ｓ２１で日付が自動補正されたテキストデータに基づくテキストがディスプレイ４８に表示される。ユーザは表示されたテキストの日付を変更して正しい日付を再設定することができる。
【００５９】
次いで、日付の再設定が終了したか否かが判断される（Ｓ２６）。入力が終了していない場合（Ｓ２６：ＮＯ）、Ｓ２６が繰り返される。例えば、ユーザは、Ｓ２５で表示されたテキストのうちの日付を修正して再設定する。そして、ユーザは日付の再設定が終了したことを示す操作を、入力部４７を介して行う。日付の再設定が終了したことを示す操作が行われた場合、日付の再設定が終了されたと判断され（Ｓ２６：ＹＥＳ）、Ｓ２７の処理が実行される。この場合、Ｓ２６で再設定された日付で予定の情報が予定管理ソフトウェアに登録される（Ｓ２７）。Ｓ２７が実行された後、第一メイン処理が終了される。
【００６０】
以上のように、本実施形態における処理が実行される。本実施形態では、予定の情報と画像データとを予定管理ソフトウェアに登録できる（Ｓ２７）。このため、用紙７０１に記入された予定の情報（図４参照）に基づいて予定の管理を行うことができる。
【００６１】
また、予定の情報だけでなく画像データも予定管理ソフトウェアに登録できる（Ｓ２７）。このため、ユーザは、用紙７０１に記入した原文を参照可能である（図８参照）。また、Ｓ１６でテキストデータが作成される場合に、ユーザが用紙７０１に記入した原文とは異なるテキストに変換された場合でも、ユーザは、画像データに基づく画像を参照しながら容易にテキストデータを修正することができる。よって、ユーザの利便性が向上する。
【００６２】
また、今年の日付ではなく（Ｓ１９：ＮＯ）、且つ、３ヶ月以内の日付ではない場合に（Ｓ２０：ＮＯ）、自動で日付が補正される（Ｓ２１）。すなわち、日付が所定の時期（本実施形態では、今年の日付であり、且つ、３カ月以内の日付であるという条件を満たす時期）より先である場合に、自動で日付が補正される。日付が所定の時期より先である場合、ユーザが日付の記入を間違えた可能性がある。また、Ｓ１６でテキストデータが作成される場合に、ユーザが用紙７０１に記入した原文とは異なるテキストに変換された可能性がある。これらの場合にＳ２１によって自動で日付が補正されるので、ユーザが入力部４７を操作して日付を正しい日付に補正する場合に比べて、ユーザの利便性が向上する。
【００６３】
なお、本発明は上記の実施形態に限定されるものではなく、種々の変更が可能である。例えば、日付が所定の時期（本実施形態では、今年の日付であり、且つ、３カ月以内の日付であるという条件を満たす時期）より先である場合に、自動で日付が補正されていたが、所定の時期は本実施形態の場合に限定されない。例えば、所定の時期は、６カ月先の日付であってもよい。また、Ｓ２１で自動で日付が補正される場合に「年」が補正されていたが、これに限定されない。例えば、「月」が補正されてもよいし、「日」が補正されてもよい。
【００６４】
また、チェックボックス７１２（図４参照）にチェックマークが記入された場合に、ストロークデータが読取装置２のＣＰＵ２１からＰＣ４のＣＰＵ４１に送信されていたが、これに限定されない。例えば、電子ペン３が使用されて用紙７０１に予定の情報が記入される度に、読取装置２のＣＰＵ２１からＰＣ４のＣＰＵ４１にストロークデータが送信されてもよい。そして、チェックボックス７１２にチェックマークが記入された場合のストロークデータをＰＣ４のＣＰＵ４１が受信（取得）した場合に、Ｓ１３〜Ｓ２７（図６参照）の処理が実行されてもよい。また、読取装置２は予定の情報に対応するストロークデータをフラッシュＲＯＭ２２に記憶しておき、後で（例えば、数日後）に読取装置２のＣＰＵ２１とＰＣ４のＣＰＵ４１との通信の接続設定がされた場合に、ストロークデータが読取装置２のＣＰＵ２１からＰＣ４のＣＰＵ４１に送信されてもよい。
【００６５】
また、Ｓ１７で作成される画像データには、用紙７０１に印刷された「Ｓｕｂｊｅｃｔ」、「Ｐｌａｃｅ」、「Ｄａｔｅ  ＆  Ｔｉｍｅ」、「Ｄａｔｅ」、「Ｔｉｍｅ（Ｆｒｏｍ）」、「Ｔｉｍｅ（Ｔｏ）」、及び「Ｄｅｔａｉｌｓ」と同様のテキストを表示するためのデータが含まれていてもよい。また、画像データには、用紙７０１（図３及び図４参照）に印刷された記入領域７１３，７１４，７２１〜７３６，７４０を表す外形と同様の外形を表示するためのデータが含まれていてもよい。この場合、画像データに基づいて表示される画像が、図８の場合と異なり、用紙７０１に予定の情報が記入された状態（図４参照）と同様の画像となる。この場合、ユーザは、自己が記入した情報をより認識し易くなる。
【００６６】
また、スケジュールフォーマットは、用紙７０１の場合に限定されない。例えば、用紙７０１に「年」を記入する記入領域７２１〜７２４が設けられていなくてもよい。この場合、記入領域７２５〜７２８に記入された日付（「月」と「日」）のうち、第一メイン処理が実行されている日付から最も近い日付に予定の情報が登録されてもよい。例えば、記入領域７２５〜７２８に「１２／１５」を示す各数字が記入された場合において、第一メイン処理が実行されている日付が「２０１２／１１／３０」である場合、予定の情報は「２０１２／１２／１５」に登録される。
【００６７】
また、例えば、スケジュールフォーマットは、図１０に示す用紙７０２のフォーマットであってもよい。用紙７０２の左上部には、チェックボックス７５１が設けられている。また、チェックボックス７５１の下方には、左右方向に並んだ記入領域７５２，７５３，７５４が前後方向に１３個設けられている。各記入領域７５４の右側には、チェックボックス７５５が設けられている。
【００６８】
記入領域７５２には、日付情報が記入される。図１０に示す例では、予定が「７月４日」であることを示す「Ｊｕｌｙ  ４」が記入されている。記入領域７５３には、時間の情報が記入される。図１０に示す例では、予定が「１３：００〜１４：００」であることを示す「１３−１４」が記入されている。記入領域７５４には、予定の情報のうち、題名等が記入される。図１０に示す例では、「Ｍｅｅｔｉｎｇ」が記入されている。
【００６９】
図１０に示す用紙７０２が用いられる場合、ユーザは、まず、チェックボックス７５１にチェックマークを記入する。チェックボックス７５１にチェックマークが記入されたことを検出した読取装置２のＣＰＵ２１は、ストロークデータのフラッシュＲＯＭ２２への記憶を開始する。ユーザは、図１０に示すように日付「Ｊｕｌｙ  ４」、時間「１３−１４」、予定「Ｍｅｅｔｉｎｇ」を用紙７０２に記入する。フラッシュＲＯＭ２２には、日付「Ｊｕｌｙ  ４」、時間「１３−１４」、予定「Ｍｅｅｔｉｎｇ」に対応するストロークデータが記憶される。そして、ユーザがチェックボックス７５５にチェックマークを記入すると、フラッシュＲＯＭ２２に記憶されたストロークデータがＰＣ４に送信され、ＣＰＵ４１によって取得される（図６のＳ１２：ＹＥＳ）。そして、ストロークデータに基づいて、テキストデータと画像データとが予定管理ソフトウェアに登録される処理が行われる（図６のＳ１２〜Ｓ２７参照）。
【００７０】
なお、図１０に示す用紙７０２には、左右方向に並んだ記入領域７５２，７５３，７５４とチェックボックス７５５とが前後方向に複数設けられている。このため、ユーザは、用紙７０２に複数の予定の情報を記入できる。そして、複数のチェックボックス７５５のいずれかにチェックマークが記入されると、チェックマークが記入されたチェックボックス７５５の左側の予定の情報が予定管理ソフトウェアに登録されるように処理が行われる（図６のＳ１２〜Ｓ２７参照）。
【００７１】
第一実施形態では、日付が所定の時期より先である場合に、日付が自動で補正されていたが、これに限定されない。例えば、日付が自動で補正されなくてもよい。この場合、Ｓ１９及びＳ２０において、日付が所定の時期より先であるか否かを判断しなくてもよい。
【００７２】
また、日付が所定の時期より先である場合に、ユーザに報知してもよい。また、ユーザが個人を特定する情報である個人特定情報を用紙７０１に記入した場合に、個人特定情報に対応する個人の予定として、予定管理ソフトウェアに登録されてもよい。個人特定情報は、例えば、Ｅメールアドレスである。以下、日付が所定の時期より先である場合に、ユーザに報知される場合、及び、個人特定情報に対応する個人の予定として予定管理ソフトウェアに登録される場合の実施形態である第二実施形態について、図１１を参照して説明する。
【００７３】
図１１は、第一メイン処理（図６参照）の変形例に係る第二メイン処理のフローチャートである。以下の説明では、第一メイン処理と同様の処理は同じ符号で示し、詳細の説明は省略する。第二メイン処理では、第一メイン処理と同様にＳ１１〜Ｓ２０の処理が実行される。Ｓ１９において日付が今年の日付であると判断された場合（Ｓ１９：ＹＥＳ）、又は、Ｓ２０において３カ月以内の日付であると判断された場合（Ｓ２０；ＹＥＳ）、Ｓ３２が実行される。Ｓ３２では、Ｓ１２で取得されたストロークデータに、用紙７０１に記入された個人特定情報に対応する電子ペン３の軌跡のデータが含まれる否かが判断される（Ｓ３２）。本実施形態では、個人特定情報はＥメールアドレスであるとする。Ｓ３２では、Ｓ１６で作成されたテキストデータが参照される。そして、テキストデータにおける用紙７０１の記入領域７４０に対応するテキストに、Ｅメールアドレスが含まれるか否かが判断される。これによって、Ｓ１２で取得されたストロークデータに、用紙７０１に記入された個人特定情報に対応する電子ペン３の軌跡のデータが含まれるか否かが判断される（Ｓ３２）。
【００７４】
Ｓ１２で取得されたストロークデータに、個人特定情報に対応する電子ペン３の軌跡のデータが含まれない場合（Ｓ３２：ＮＯ）、予定の情報の登録が行われる（Ｓ２７）。Ｓ２７の処理は第一メイン処理（図６参照）と同様である。Ｓ１２で取得されたストロークデータに、個人特定情報に対応する電子ペン３の軌跡のデータが含まれる場合（Ｓ３３：ＹＥＳ）、個人特定情報に対応する個人の予定として、Ｓ１６で作成されたテキストデータから特定される予定の情報が予定管理ソフトウェアに登録される（Ｓ３３）。また、Ｓ１７で作成された画像データも予定管理ソフトウェアに登録される（Ｓ３３）。
【００７５】
Ｓ３３の処理の一例について説明する。第二実施形態における予定管理ソフトウェアは、複数人の予定をまとめて管理可能であるとする。そして、予定管理ソフトウェアは、予定管理ソフトウェアが参照可能な個人の所定のフォルダにテキストデータのデータファイルと画像データのデータファイルとが配置された場合に、テキストデータから特定される予定の情報と画像データとを個人の予定として登録するとする。また、ＨＤＤ４２には、複数人の個人毎のＥメールアドレスと、予定管理ソフトウェアが参照可能な個人の所定のフォルダとが対応付けて記憶されている。ＣＰＵ４１は、Ｓ１６で作成されたテキストデータからＥメールアドレスを特定する。ＣＰＵ４１は、ＨＤＤ４２を参照し、特定したＥメールアドレスに対応付けられた、予定管理ソフトウェアが参照可能な個人の所定のフォルダを特定する。そして、特定した個人のフォルダに、Ｓ１６で作成されたテキストデータのデータファイルとＳ１７で作成された画像データのデータファイルとを配置する（Ｓ３２）。これによって、個人特定情報に対応する個人の予定として、テキストデータと画像データとが予定管理ソフトウェアに登録された状態となる。Ｓ３３が実行された後、第二メイン処理が終了される。
【００７６】
Ｓ２０において、日付情報が示す日付が３ヶ月以内の日付ではないと判断された場合（Ｓ２０：ＮＯ）、ユーザに報知される（Ｓ３１）。Ｓ３１では、例えば、日付が「２０１３年１２月１５日となっています。正しいですか？」のメッセージである。また、Ｓ３１では、日付が正しいか否かをユーザが選択するための表示がディスプレイ４８に表示される。
【００７７】
次いで、Ｓ２３〜Ｓ２６が実行される。Ｓ２３〜Ｓ２６は第一メイン処理と同様である。なお、Ｓ２５では、Ｓ１６で作成されたテキストデータに基づくテキストがディスプレイ４８に表示される。ユーザは表示されたテキストの日付を変更して正しい日付を再設定することができる。
【００７８】
Ｓ２３で検出された操作が、日付が正しいことを示す操作である場合（Ｓ２４：ＹＥＳ）、又は、日付の再設定が終了された場合（Ｓ２６：ＹＥＳ）、Ｓ３２の処理が実行される。
【００７９】
以上のように本実施形態における処理が実行される。本実施形態では、日付が所定の時期（本実施形態では、今年の日付であり、且つ、３カ月以内の日付であるという条件を満たす時期）より先である場合に、ユーザに報知される（Ｓ３１）。前述したように、日付が所定の時期より先である場合、ユーザが日付の記入を間違えた可能性がある。また、Ｓ１６でテキストデータが作成される場合に、ユーザが用紙７０１に記入した原文とは異なるテキストに変換された可能性がある。これらの場合にＳ２１によってユーザに報知されるので、予定の情報が異なる日付で予定管理ソフトウェアに登録されることを防止できる。
【００８０】
また、ユーザが個人特定情報であるＥメールアドレスを用紙７０１に記入すると、Ｓ３３によって個人特定情報に対応する個人の予定として、予定管理ソフトウェアに登録することができる。ユーザは用紙７０１に記入する個人特定情報で予定を登録する個人を選択できるので、ユーザの利便性が向上する。
【００８１】
上記第一、第二実施形態において、ＰＣ４が本発明の「情報管理装置」に相当する。読取装置２が本発明の「検出手段」に相当する。電子ペン３が本発明の「筆記手段」に相当する。Ｓ１２の処理を行うＣＰＵ４１が本発明の「ストロークデータ取得手段」に相当する。Ｓ１６の処理を行うＣＰＵ４１が本発明の「テキストデータ作成手段」に相当する。ＣＰＵ４１によって動作する予定管理ソフトウェアが本発明の「予定管理手段」に相当する。Ｓ２７及びＳ３３の処理を行うＣＰＵ４１が本発明の「予定登録手段」に相当する。Ｓ３１を行うＣＰＵ４１が本発明の「報知手段」に相当する。Ｓ２１の処理を行うＣＰＵ４１が本発明の「補正手段」に相当する。Ｓ１２の処理が本発明の「ストロークデータ取得ステップ」に相当する。Ｓ１６の処理が本発明の「テキストデータ作成ステップ」に相当する。Ｓ２７及びＳ３３の処理が本発明の「予定登録ステップ」に相当する。
【００８２】
なお、個人特定情報はＥメールアドレスであったが、これに限定されない。例えば、個人特定情報は、個人の名前であってもよい。また、個人特定情報は、個人毎に設定された記号（例えば「Ａ００１」などの記号）であってもよい。また、用紙７０１に個人特定情報が記入される記入領域を設けてもよい。
【００８３】
また、Ｓ３１で報知される場合に、Ｓ１６で作成されたテキストデータに基づくテキストと、Ｓ１７で作成された画像データに基づく画像とがディスプレイ４８に表示されてもよい。また、Ｓ１７（図６及び図１１参照）で画像データが作成された後に、Ｓ１６で作成されたテキストデータに基づくテキストと、Ｓ１７で作成された画像データに基づく画像とがディスプレイ４８に表示されてもよい。この場合、ユーザは、テキストと画像とを見比べることができる。よって、例えば、Ｓ１６でテキストデータが作成される場合において、ユーザが用紙７０１に記入した原文とは異なるテキストに変換された場合に、ユーザは異なるテキストに変換されたことを容易に判断することができる。よって、テキストデータの修正等を行ってテキストデータに原文通りのテキストが含まれる状態にすることを容易に行うことができる。
【００８４】
また、ＰＣ４が本発明の「情報管理装置」に相当したが、これに限定されない。例えば、本発明の「情報管理装置」は、図１２に示すような携帯電話５でもよい。この場合、第一メイン処理は、携帯電話５が備えるＣＰＵによって実行されてもよい。
【００８５】
また、予定管理ソフトウェアは第一、第二実施形態のような種類に限定されず、種々の予定管理ソフトウェアであってもよい。この場合、Ｓ２７及びＳ３３（図６及び図１１参照）において、予定管理ソフトウェアが登録できるように、テキストデータと画像データとが設定されてもよい。例えば、インターネットの所定のサーバに予定管理ソフトウェアが管理されている場合、該サーバに対してテキストデータと画像データとを送信することで、予定管理ソフトウェアに登録するようにしてもよい。
【００８６】
また、例えば、予定管理ソフトウェアは、図１２に示すように、携帯電話５のディスプレイ４８１に表示される画面９９上に予定の情報に基づくテキストを貼り付けることができるようなソフトウェアであってもよい。図１２に示す画面９９には、予定の情報を貼り付けるための貼付領域９９１が設けられている。そして、予定の情報（例えば、予定の情報のうち、記入領域７１３（図３参照）に記入された情報）に対応するテキストが貼付領域９９１に付箋状に複数貼り付けられている。より詳細には、貼付領域９９１には、「山田さんに電話」、「見積もり修正」、「祝電を送る」、「資料作成」、「１３：００〜  Ｍｅｅｔｉｎｇ」の各予定が、付箋状に貼り付けられている。
【００８７】
また、予定管理ソフトウェアは、図１３に示すように、ＰＣ４のディスプレイ４８のデスクトップ画面４８２の右部に、予定の情報に対応するテキストを付箋状に複数貼り付けることができるようなソフトウェアであってもよい。なお、図１３に示すデスクトップ画面４８２には、付箋状に貼りつけられたテキストの他、船、雲等を含む画像も表示されている。
【００８８】
図１２及び図１３に示すテキストをユーザが選択すると、Ｓ２７（図６及び図１１参照）又はＳ３３（図１１参照）で予定管理ソフトウェアに登録されたテキストデータに基づくテキスト、及び画像データに基づく画像が表示されてもよい。なお、画像データに基づく画像が表示されなくてもよい。この場合、Ｓ２７又はＳ３３において、画像データが予定管理ソフトウェアに登録されなくてもよい。また、予定管理ソフトウェアは、予定の時間が近づいた場合にユーザに報知する報知機能を有していてもよい。
【符号の説明】
【００８９】
２    読取装置
３    電子ペン
４    ＰＣ
４１    ＣＰＵ
５    携帯電話
７Ｌ，７Ｒ    センサ基板
１００    紙媒体
１２０，１２１    用紙
【図１】
2014086054.tif 000003
【図２】
2014086054.tif 000004
【図５】
2014086054.tif 000005
【図６】
2014086054.tif 000006
【図７】
2014086054.tif 000007
【図８】
2014086054.tif 000008
【図９】
2014086054.tif 000009
【図１０】
2014086054.tif 000010
【図１１】
2014086054.tif 000011
【図１２】
2014086054.tif 000012
【図１３】
2014086054.tif 000013
【図３】
2014086054.tif 000014
【図４】
2014086054.tif 000015